(57)【特許請求の範囲】
【請求項１】
複数のケース部材を組み付けてなる筺体において、
当該筺体の内部には回路基板を設け、
前記回路基板は、射出成形された所定の前記ケース部材にねじ止めし、且つ、前記射出成形における金型の抜き方向に対して非垂直に配置し、
前記所定のケース部材には、第１ボス及び第２ボスを設け、
前記第１ボスの先端部には、前記回路基板に当接する第１当接面と、前記回路基板側に突出する凸部と設け、
前記第２ボスの先端部には、前記回路基板に当接する第２当接面と、前記ねじ止め用の雄ねじ部品を螺合する雌ねじ部とを設け、
前記回路基板には、前記凸部を嵌合する嵌合部と、前記雄ねじ部品を挿通する通孔とを設け、
前記雌ねじ部に対する前記雄ねじ部品の螺合方向は、前記射出成形における金型の抜き方向と平行であり、
前記回路基板は、前記第１ボスにて位置決めしつつ前記第２ボスにねじ止めして設け、
前記回路基板の嵌合部は、打抜き成形にて設けたものであり、
前記凸部の側面部には、前記打抜き成形における打抜き方向と平行な作用面を設け、
前記嵌合部と前記作用面とが面当接するようにし、
前記射出成形における金型の抜き方向に対する前記第１当接面の角度をθ１とするとともに、前記射出成形における金型の抜き方向と前記打ち抜き成形における打ち抜き方向との角度をθ２とするとき、それらは、θ１≠９０°、θ２≠０°、θ１＋θ２＝９０°、の関係が成り立つようにしたことを特徴とする筐体。
【発明の詳細な説明】
【技術分野】
【０００１】
本発明は、複数のケース部材を組み付けてなり、その内部に回路基板を設ける筺体に関する。
【背景技術】
【０００２】
一般に、電子機器の筺体は、複数のケース部材を組み付けて構成されている。電子機器は、基体となるケース部材に所定の構成部品を配置し、これを覆うように他のケース部材を組み付けて構成されている。基体となるケース部材には、電子機器の回路基板をねじ止めするボスが設けられている。通常、ケース部材は、射出成形してなるものであり、ボスは、射出成形における金型の抜き方向と平行に突出している。ボスの先端部には雌ねじ部が設けられ、雌ねじ部に対する雄ねじ部品の螺合方向は、射出成形における金型の抜き方向と平行となっている。特許文献１には、この種の電子機器に用いられる筺体であって、回路基板を基体の基準面に対して傾斜した状態に設けるものが開示されている。
【特許文献１】特開平８−１２５３５９号公報
【発明の開示】
【発明が解決しようとする課題】
【０００３】
さて近年、各種電子機器のデザインはますます多様化される傾向にあり、電子機器の筺体としては、機能性、製造製、組み付けの容易性、及びコスト面などを踏まえつつ更なる的工夫が求められている。例えば、特許文献１の筺体においては、ボスの延出方向に対して回路基板を非垂直にねじ止めすべく、回路基板と雄ねじ部品の着座面との間に押え部材と称する所定の形状の部品を装着する構成となっている。しかし、このような部品を各ボスに対してそれぞれ設ける場合は、部品点数の増加や、組み付け作業の煩雑化を招くことになる。電子機器の製造現場においては、回路基板の角度について設計の自由度を確保するとともに、より優れた回路基板の支持構造が必要とされている。本発明は、かかる事情に鑑みてなされたものであり、その目的は、回路基板を合理的に設けてなる筺体を得ることである。
【課題を解決するための手段】
【０００４】
本願第１請求項に記載した発明は、複数のケース部材を組み付けてなる筺体において、当該筺体の内部には回路基板を設け、前記回路基板は、射出成形された所定の前記ケース部材にねじ止めし、且つ、前記射出成形における金型の抜き方向に対して非垂直に配置し、前記所定のケース部材には、第１ボス及び第２ボスを設け、前記第１ボスの先端部には、前記回路基板に当接する第１当接面と、前記回路基板側に突出する凸部と設け、前記第２ボスの先端部には、前記回路基板に当接する第２当接面と、前記ねじ止め用の雄ねじ部品を螺合する雌ねじ部とを設け、前記回路基板には、前記凸部を嵌合する嵌合部と、前記雄ねじ部品を挿通する通孔とを設け、前記雌ねじ部に対する前記雄ねじ部品の螺合方向は、前記射出成形における金型の抜き方向と平行であり、前記回路基板は、前記第１ボスにて位置決めしつつ前記第２ボスにねじ止めして設け、前記回路基板の嵌合部は、打抜き成形にて設けたものであり、前記凸部の側面部には、前記打抜き成形における打抜き方向と平行な作用面を設け、前記嵌合部と前記作用面とが面当接するようにし、前記射出成形における金型の抜き方向に対する前記第１当接面の角度をθ１とするとともに、前記射出成形における金型の抜き方向と前記打ち抜き成形における打ち抜き方向との角度をθ２とするとき、それらは、θ１≠９０°、θ２≠０°、θ１＋θ２＝９０°、の関係が成り立つようにした構成の筺体である。
【発明の効果】
【０００７】
本発明によれば、回路基板を合理的に設けてなる筺体を得ることができる。
【発明を実施するための最良の形態】
【０００８】
以下に、本発明の実施例を図面に基づいて説明する。図１は、電子機器を示す正面図である。図２は、電子機器を示す上面図である。図３は、電子機器を示す下面図である。図４は、電子機器を示す背面図である。図５は、第２ケース部材を取り外した状態の電子機器を示す背面図である。図６は、図１のＡ−Ａ断面図である。図７は、図４のＢ−Ｂ断面図である。図８は、図４のＣ−Ｃ断面図である。図９は、図５のＤ−Ｄ断面図である。図１０は、図９の要部に対応する分解図である。図１１は、第１ボスの説明図である。図１２は、第２ボスの説明図である。
【０００９】
本例の電子機器１は、筐体１００の内部に振り子装置２００、スピーカ３００、電池４００、制御回路基板５００、及びスイッチ回路基板６００を配置してなるメトロノームである。振り子装置２００は、筐体１００の正面側に延出した振り竿２１０を備え、この振り竿２１０が左右に揺動する。また、スピーカ３００からは、振り竿２１０の動きに合わせて所定の音が発生する仕組みとなっている。振り子装置２００及びスピーカ３００は、電池４００を電源とし、制御回路基板５００にて制御される。また、スイッチ回路基板６００には、複数のスイッチ素子６１０，６２０，６３０が設けられており、振り子装置２００及びスピーカ３００の動作は、これらのスイッチ素子を操作することにより、任意に設定可能となっている。各スイッチ素子６１０，６２０，６３０の機能は、特に限定はしないが、本例の場合、スライド式の第１スイッチ素子６１０にて電源のＯＮ／ＯＦＦを切換え、回転式の第２スイッチ素子６２０にてスピーカ３００の音調を調整し、スライド式の第３スイッチにて音量を調整する構成となっている。
【００１０】
本例の筐体１００は、電子機器１の正面側となる第１ケース部材１１０（請求項１における所定のケース部材）と、電子機器１の背面側となる第２ケース部材１２０（請求項３における他のケース部材）とを組み付けて構成される２分割タイプのものである。また、第１ケース部材１１０には、着脱自在の透明なカバー１３０が設けられており、振り竿２１０は、第１ケース部材１１０とカバー１３０との間に収納されている。電子機器１は、カバー１３０を取り外して使用される。更に、筐体１００の下面には、電池ボックス１４０の蓋部１４１が露呈されている。電池ボックス１４０は、筐体１００の内部に組み付けられており、電池４００の交換は、蓋部１４１を取り外して行う。
【００１１】
電子機器１は、基体となる第１ケース部材１１０に振り子装置２００、スピーカ３００、電池４００、制御回路基板５００、及びスイッチ回路基板６００を配置し、これに第２ケース部材１２０を組み付けて構成されている。第１ケース部材１１０と第２ケース部材１２０は、ねじ止め又は嵌合にて組み付けられる。
【００１２】
スイッチ回路基板６００に半田付けして搭載された各スイッチ素子６１０，６２０，６３０には、それぞれ操作子６１１，６２１，６３１が設けられており、第２ケース部材１２０の要所には、各操作子６１１，６２１，６３１をそれぞれ露呈する複数の開口部１２１が設けられている。これらの開口部１２１は、スイッチ回路基板６００に対し平行に設けられている。このような構成によれば、各操作子６１１，６２１，６３１の操作性を良好に確保することができる。
【００１３】
また、第２ケース部材１２０の要所には、スピーカが発生する音を筐体１００の外部に発散すためのスリット１２２が設けられている。
【００１４】
第１ケース部材１１０に対する振り子装置２００、スピーカ３００、電池４００、及び制御回路基板５００の支持構造については、特に限定はしないが、従来技術と同様の一般的な構造を採用しているものとし、説明は省略する。
【００１５】
以下に、第１ケース部材１１０に対するスイッチ回路基板６００の支持構造を説明する。本例の場合、第１ケース部材１１０及び第２ケース部材１２０のうち、少なくとも第１ケース部材１１０は射出成形してなるものである。スイッチ回路基板６００は、第１ケース部材１１０にねじ止めし、且つ、第１ケース部材１１０の射出成形における金型の抜き方向に対して非垂直に配置している。図中のθ１は、射出成形における金型の抜き方向とスイッチ回路基板６００との角度を示しており、これが９０°とは異なる角度となっている。
【００１６】
第１ケース部材１１０の要所には、スイッチ回路基板６００を固定するための複数の第１ボス１１１及び複数の第２ボス１１２を射出成形により一体に設けている。第１ボス１１１及び第２ボス１１２は、射出成形における金型の抜き方向と平行に突出している。
【００１７】
各第１ボス１１１の先端部には、スイッチ回路基板６００に当接する第１当接面１１１ａと、スイッチ回路基板６００側に突出する凸部１１１ｂと設けている。本例の第１ボス１１１は、パイプ状のものである。凸部１１１ｂは、第１ボス１１１の先端部に形成された半パイプ状の部位である。第１当接面１１１ａは、凸部１１１ｂの付け根に連続する半リング状の部位であり、スイッチ回路基板６００と面当接する。射出成形における金型の抜き方向に対する第１当接面１１１ａの傾斜角は、θ１となっている。
【００１８】
各第２ボス１１２の先端部には、スイッチ回路基板６００に当接する第２当接面１１２ａと、ねじ止め用の雄ねじ部品１０１を螺合する雌ねじ部１１２ｂとを設けている。雌ねじ部１１２ｂは、射出成形において形成された孔に加工を施して設けられる。或は、雄ねじ部品１０１としてタッピンねじを用いる場合は、射出成形後の加工は省略することも可能である。本例の第２ボス１１２は、パイプ状のものである。第２当接面１１２ａは、その端面のリング状の部位であり、スイッチ回路基板６００と面当接する。射出成形における金型の抜き方向に対する第２当接面１１２ａの傾斜角は、θ１となっている。雌ねじ部１１２ｂは、第２ボス１１２の内周面に形成されている。
【００１９】
更に、スイッチ回路基板６００には、第１ボス１１１の凸部１１１ａを嵌合する嵌合部６０１と、雄ねじ部品１０１を挿通する通孔６０２とを設けている。
【００２０】
雌ねじ部１１２ｂに対する雄ねじ部品１０１の螺合方向は、射出成形における金型の抜き方向と平行である。スイッチ回路基板６００は、第１ボス１１１にて位置決めしつつ第２ボス１１２にねじ止めして設けられる。
【００２１】
また、スイッチ回路基板６００の嵌合部６０１は、打抜き成形にて設けたものである。そして、第１ボスの凸部１１１ａの側面部には、打抜き成形における打抜き方向と平行な作用面１１１ｃを設け、嵌合部６０１と作用面１１１ｃとがスイッチ回路基板６００の厚さ方向において面当接する構成となっている。図中のθ２は、射出成形における金型の抜き方向と打抜き成形における打抜き方向との角度を示しており、これが０°とは異なる角度となっている。すなわち、θ１≠９０°、θ２≠０°、θ１＋θ２＝９０°となっている。
【００２２】
本例によると、スイッチ回路基板６００を合理的に設けることが可能となる。射出成形してなる第１ケース部材１１０にスイッチ回路基板６００をねじ止めする場合、第１ケース部材１１０に一体に設けられる各ボス１１１，１１２は、射出成形における金型の抜き方向と平行に突出することになるため、雌ねじ部１１２ｂに対する雄ねじ部品１０１の螺合方向は、射出成形における金型の抜き方向と平行とされる。ここで、スイッチ回路基板６００を射出成形における金型の抜き方向に対して非垂直に配置する場合は、雄ねじ部品１０１の着座面がスイッチ回路基板６００に面当接しないため、ねじ止めが不可能又は極めて不安定な状態となる。仮に、スイッチ回路基板６００と雄ねじ部品１０１の着座面との間に所定の形状の部品（押え部材）を装着すれは、安定的なねじ止めが可能となるが、部品点数の増加や組み付け作業の煩雑化を招くこととなる。そこで本例では、前述したように、第１ボス１１１に第１当接面１１１ａ及び凸部１１１ｂを設け、第２ボス１１２に第２当接面１１２ａ及び雌ねじ部１１２ｂを設け、更に、スイッチ回路基板６００に嵌合部６０１及び通孔６０２を設けた。このような構成によると、雄ねじ部品１０１の着座面はスイッチ回路基板６００に面当接しないものの、雄ねじ部品１０１の締付けによる圧力は、第１当接面１１１ａ、第２当接面１１２ａ、及び凸部１１１ｂによって支えることが可能となるため、スイッチ回路基板６００を堅固に固定することができる。スイッチ回路基板６００の位置決めも容易であるため、ねじ止めの作業性も向上する。また、凸部１１１ａの側面部に嵌合部６０１の打抜き方向と平行な作用面１１１ｃを設け、嵌合部６０１と作用面１１１ｃとがスイッチ回路基板６００の厚さ方向において面当接するように構成すれば、より安定的な支持構造が得られる。
【００２３】
以上説明したように、本例の筐体は、筐体のデザイン、設計の自由度、ケース部材や回路基板の成形性、部品点数の削減、組み付けの作業性などを踏まえつつ、回路基板の支持構造を合理化するという顕著な効果を達成してなる筐体である。尚、本例における各部の構成は、特許請求の範囲に記載した技術的範囲において適宜に設計変更が可能であり、図例説明したものに限定されないことは勿論である。本例では、メトロノームの筐体について説明したが、本例の構成は、その他各種の電子機器の筐体に応用することが可能である。
【産業上の利用可能性】
【００２４】
本発明の筺体は、各種電子機器の筺体として好適に利用することが可能である。
【図面の簡単な説明】
【００２５】
【図１】本発明の実施例に係り、電子機器を示す正面図である。
【図２】本発明の実施例に係り、電子機器を示す上面図である。
【図３】本発明の実施例に係り、電子機器を示す下面図である。
【図４】本発明の実施例に係り、電子機器を示す背面図である。
【図５】本発明の実施例に係り、第２ケース部材を取り外した状態の電子機器を示す背面図である。
【図６】本発明の実施例に係り、図１のＡ−Ａ断面図であり、電子機器を示す側面断面図である。
【図７】本発明の実施例に係り、図４のＢ−Ｂ断面図であり、電子機器の要部を示す側面断面図である。
【図８】本発明の実施例に係り、図４のＣ−Ｃ断面図であり、電子機器の要部を示す側面断面図である。
【図９】本発明の実施例に係り、図５のＤ−Ｄ断面図であり、電子機器の要部を示す側面断面図である。
【図１０】本発明の実施例に係り、図９の要部に対応する分解図であり、電子機器の要部を示す側面断面分解図である。
【図１１】本発明の実施例に係り、第１ボスの説明図である。
【図１２】本発明の実施例に係り、第２ボスの説明図である。
【符号の説明】
【００２６】
１    電子機器
１００    筺体
１０１    雄ねじ部品
１１０    第１ケース部材
１１１    第１ボス
１１１ａ    第１当接面
１１１ｂ    凸部
１１１ｃ    作用面
１１２    第２ボス
１１２ａ    第２当接面
１１２ｂ    雌ねじ部
１２０    第２ケース部材
１２１    開口部
１２２    スリット
１３０    カバー
１４０    電池ボックス
１４１    蓋部
２００    振り子装置
２１０    振り竿
３００    スピーカ
４００    電池
５００    制御回路基板
６００    スイッチ回路基板
６０１    嵌合部
６０２    通孔
６１０    第１スイッチ素子
６１１    操作子
６２０    第２スイッチ素子
６２１    操作子
６３０    第３スイッチ素子
６３１    操作子
【図１】
0004519067.tif 000002
【図２】
0004519067.tif 000003
【図３】
0004519067.tif 000004
【図４】
0004519067.tif 000005
【図５】
0004519067.tif 000006
【図６】
0004519067.tif 000007
【図７】
0004519067.tif 000008
【図８】
0004519067.tif 000009
【図９】
0004519067.tif 000010
【図１０】
0004519067.tif 000011
【図１１】
0004519067.tif 000012
【図１２】
0004519067.tif 000013